(57)【要約】【課題】コンパクトな構造で、施錠片が挿入されるストライクの開口位置を、上下、左右、前後の３方向に調整可能な扉錠用ストライクを提供すること。【解決手段】開口を形成したフロントプレート１と、フロントプレート１の開口より上下方向の寸法が小さい施錠片１０が挿入される開口を形成したフロントベース２と、施錠片１０が挿入される空間部を形成した裏箱３と、施錠片１０の先端部が掛止される前後調整部材４と、フロントベース２の開口の左右方向の一部を塞ぐ左右調整部材８とを備える。【選択図】図２
2020097822.tif 000002
【特許請求の範囲】
【請求項１】
固定側に取付ねじによって固定される、開口を形成したフロントプレートと、
前記フロントプレートの背面に沿って上下動可能に配置される、フロントプレートの開口より上下方向の寸法が小さい施錠片が挿入される開口を形成したフロントベースと、
前記フロントベースの背面に、フロントベースと一体化して上下動可能に配置される、施錠片が挿入される空間部を形成した裏箱と、
前記裏箱の空間部内に配置され、フロントベースに回転自在に取り付けた前後調整ねじを回転することによって前後動する、施錠片の先端部が掛止される前後調整部材と、
前記裏箱の空間部内に配置され、フロントベースに左右調整ねじを介して固定される、フロントベースの開口の左右方向の一部を塞ぐ左右調整部材と
を備えてなることを特徴とする扉錠用ストライク。
【請求項２】
前記前後調整ねじの先端部を、裏箱に回転自在にカシメるようにしてなることを特徴とする請求項１に記載の扉錠用ストライク。
【請求項３】
前記左右調整部材を、裏箱に形成したガイド溝にガイドされて左右動可能に配置するとともに、フロントベースに形成した左右方向に長い長孔に挿通した左右調整ねじを介してフロントベースに固定するようにしてなることを特徴とする請求項１又は２に記載の扉錠用ストライク。
【発明の詳細な説明】
【技術分野】
【０００１】
本発明は、扉錠用ストライクに関し、とりわけ、アウトセット（外付け）引戸に好適に用いることができる扉錠用ストライクに関するものである。
【背景技術】
【０００２】
従来、家屋の開口部に外付けにより取り付けられるアウトセット（外付け）引戸が知られており、開口部の内部に設置する引戸に比べて簡易に設置することかできるという利点を有することから、改造や新築家屋において多用されている。
【０００３】
ところで、アウトセット引戸は、開口部の内側に装着される引戸で汎用されている引戸の閉じ方向に施錠するタイプの施錠片を有する錠をそのまま使用することができない。
【０００４】
そこで、引戸の開閉方向と直交する方向（引戸の表面側）に出没する鎌状の施錠片（本明細書において、鎌状の施錠片を備えた錠を、「鎌錠」という。）を、柱等に配設したストライク（受座）に係止するようにしたアウトセット引戸用の鎌錠が提案されている（例えば、特許文献１〜２参照。）。
【０００５】
一方、このアウトセット引戸用の鎌錠に対応するストライク（受座）には、通常、汎用の扉錠用ストライクが用いられる。
ところで、アウトセット引戸には、上吊り式や下荷重式があるが、特に、上吊り式、具体的には、壁の上部に上レールを取り付け、引戸扉を吊り下げた状態で壁面に沿って開閉させる構造のものは、引戸の閉鎖位置、すなわち、施錠片の出没位置と当該施錠片が挿入されるストライクの開口位置とを合わせることが難しく、この位置合わせを、上吊車や下戸車で調整することによって行うと、両者の相対位置が大きく変わりやすく、位置合わせの作業に手数を要するという問題があった。
【０００６】
なお、ストライクには、例えば、施錠片が挿入されるストライクの開口位置を調整できるようにしたものも提案されている（例えば、特許文献３参照。）。
しかしながら、一般的に設置精度が高くないアウトセット引戸の場合、完全な位置合わせを行うためには、施錠片が挿入されるストライクの開口位置を、１方向に調整可能にするだけでは不十分で、上下、左右、前後（鎌状の施錠片の先端部が当接して掛かる位置）の３方向に調整可能にする機構を、固定側、例えば、壁側の枠部材に設置できるようにコンパクトに纏めるようにする必要がある。
【先行技術文献】
【特許文献】
【０００７】
【特許文献１】特開２０１１−５２４６７号公報
【特許文献２】特開２０１４−２２７７５１号公報
【特許文献３】特開２００３−２１３９８１号公報
【発明の概要】
【発明が解決しようとする課題】
【０００８】
本発明は、このような要請に鑑み、コンパクトな構造で、施錠片が挿入されるストライクの開口位置を、上下、左右、前後の３方向に調整可能な扉錠用ストライクを提供することを目的とする。
【課題を解決するための手段】
【０００９】
上記目的を達成するため、本発明の扉錠用ストライクは、固定側に取付ねじによって固定される、開口を形成したフロントプレートと、前記フロントプレートの背面に沿って上下動可能に配置される、フロントプレートの開口より上下方向の寸法が小さい施錠片が挿入される開口を形成したフロントベースと、前記フロントベースの背面に、フロントベースと一体化して上下動可能に配置される、施錠片が挿入される空間部を形成した裏箱と、前記裏箱の空間部内に配置され、フロントベースに回転自在に取り付けた前後調整ねじを回転することによって前後動する、施錠片の先端部が掛止される前後調整部材と、前記裏箱の空間部内に配置され、フロントベースに左右調整ねじを介して固定される、フロントベースの開口の左右方向の一部を塞ぐ左右調整部材とを備えてなることを特徴とする。
【００１０】
この場合において、前記前後調整ねじの先端部を、裏箱に回転自在にカシメるようにしてなるようにすることができる。
【００１１】
また、前記左右調整部材を、裏箱に形成したガイド溝にガイドされて左右動可能に配置するとともに、フロントベースに形成した左右方向に長い長孔に挿通した左右調整ねじを介してフロントベースに固定するようにしてなるようにすることができる。
【発明の効果】
【００１２】
本発明の扉錠用ストライクによれば、操作機構を簡略化することによって、コンパクトな構造で、施錠片が挿入されるストライクの開口位置を、上下、左右、前後の３方向に調整可能な扉錠用ストライクを提供することができ、これにより、施錠状態をリジッドなものとして、戸の閉鎖状態を安定させることができる。
【００１３】
また、前記前後調整ねじの先端部を、裏箱に回転自在にカシメるようにしてなるようにすることにより、前後調整ねじを介して、フロントベースと裏箱とを一体化することができる。
【００１４】
また、前記左右調整部材を、裏箱に形成したガイド溝にガイドされて左右動可能に配置するとともに、フロントベースに形成した左右方向に長い長孔に挿通した左右調整ねじを介してフロントベースに固定するようにしてなるようにすることにより、左右調整部材を左右水平方向に安定して移動させ、その状態で固定することができる。
【図面の簡単な説明】
【００１５】
【図１】本発明の扉錠用ストライクの一実施例を示し、（ａ）は正面図、（ｂ）は左側面図である。
【図２】同扉錠用ストライクを示し、（ａ）は縦断面図、（ｂ）は背面図、（ｃ）は右側面図である。
【図３】同扉錠用ストライクを示し、（ａ）は図１（ａ）のＡ−Ａ断面図、（ｂ）は図１（ａ）のＢ−Ｂ断面図、（ｃ）は底面図である。
【発明を実施するための形態】
【００１６】
以下、本発明の扉錠用ストライクの実施の形態を、図面に基づいて説明する。
【００１７】
図１〜図３に、本発明の扉錠用ストライクの一実施例を示す。
ここで、上下、左右、前後の方向は、図１（ａ）に示す正面図を基準として説明する。
この扉錠用ストライクは、固定側（例えば、壁側の枠部材。）に取付ねじ７によって固定される、開口を形成したフロントプレート１と、フロントプレート１の背面に沿って上下動可能に配置される、フロントプレート１の開口より上下方向の寸法が小さい施錠片１０が挿入される開口を形成したフロントベース２と、フロントベース２の背面に、フロントベース２と一体化して上下動可能に配置される、施錠片１０が挿入される空間部を形成した裏箱３と、裏箱３の空間部内に配置され、フロントベース２に回転自在に取り付けた前後調整ねじ５を回転することによって前後動する、施錠片１０の先端部が掛止される前後調整部材４と、裏箱３の空間部内に配置され、フロントベース２に左右調整ねじ９を介して固定される、フロントベース２の開口の左右方向の一部を塞ぐ左右調整部材８とを備えるようにしている。
【００１８】
この場合において、フロントプレート１は、固定側に沿って設置できる形状、例えば、本実施例においては、横断面形状をＬ字状に形成した部材を用いるようにしているが、平板状の部材を用いることもできる。
【００１９】
フロントプレート１の背面に沿って上下動可能に配置されるフロントベース２は、平板状の部材からなり、フロントプレート１に対して、上下方向に所定の範囲（特に限定されるものではないが、例えば、±数ｍｍ〜±１０ｍｍ程度の範囲）、本実施例においては、フロントプレート１に刻設した目盛１１の範囲（±４ｍｍ）で上下動できるようにし、取付ねじ７を締め付けることで、フロントプレート１と裏箱３の間に挟持された状態で、所定位置で固定できるようにしている。
【００２０】
裏箱３は、施錠片１０が挿入される空間部を形成した箱部と、その上下方向両側から取付ねじ７に達する位置まで延設したフォーク部とを備えるようにしている。
【００２１】
前後調整部材４は、前後調整ねじ５に螺合することで、前後調整ねじ５を回転することによって前後動するようにしている。
【００２２】
前後調整部材４を前後動させる前後調整ねじ５は、操作部となる頭部をフロントベース２の表面に露出するように配置し、先端部を、裏箱３にワッシャ６を介して回転自在にカシメるようにしている。
これにより、前後調整ねじ５を介して、フロントベース２と裏箱３とを一体化するようにしている。
【００２３】
左右調整部材８は、横断面形状をハット状に形成した部材を用い、フロントプレート１に対して、左右方向に所定の範囲（特に限定されるものではないが、例えば、±数ｍｍ〜±１０ｍｍ程度の範囲）、本実施例においては、フロントベース２に形成した左右方向に長い長孔２１の範囲（±２．５ｍｍ）で左右動できるようにしている。
そして、左右調整部材８は、裏箱３に形成したガイド溝３１にガイドされて左右動可能に配置するとともに、フロントベース２に形成した左右方向に長い長孔２１に挿通した左右調整ねじ９を介してフロントベース２に固定するようにしている。
これにより、左右調整部材８を左右水平方向に安定して移動させ、その状態で固定することができるようにしている。
【００２４】
この扉錠用ストライクによれば、操作機構を簡略化することによって、コンパクトな構造で、施錠片１０が挿入されるストライクの開口位置を、上下、左右、前後の３方向に調整可能な扉錠用ストライクを提供することができ、これにより、施錠状態をリジッドなものとして、扉の閉鎖状態を安定させることができる。
【００２５】
以上、本発明の扉錠用ストライクについて、その実施例に基づいて説明したが、本発明は上記実施例に記載した構成に限定されるものではなく、例えば、上下方向や左右方向の可動機構として回転カムを用いる等、その趣旨を逸脱しない範囲において適宜その構成を変更することができるものである。
【産業上の利用可能性】
【００２６】
本発明の扉錠用ストライクは、コンパクトな構造で、施錠片が挿入されるストライクの開口位置を、上下、左右、前後の３方向に調整可能にできる特性を有していることから、アウトセット（外付け）引戸の扉錠用ストライクに好適に用いることができるほか、その他の各種引戸や開戸の扉錠用ストライクの用途にも用いることができる。
【符号の説明】
【００２７】
１  フロントプレート
１１  目盛
２  フロントベース
２１  長孔
３  裏箱
３１  ガイド溝
４  前後調整部材
５  前後調整ねじ
６  ワッシャ
７  取付ねじ
８  左右調整部材
９  左右調整ねじ
１０  施錠片
【図１】
2020097822.tif 000003
【図２】
2020097822.tif 000004
【図３】
2020097822.tif 000005